【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
眼鏡フレームのリムに取り付けられている備え付けレンズに代えて、備え付けレンズよりコバが厚い屈折力を持つ度付きレンズをリムに取り付けるための眼鏡レンズ加工形状取得方法は、
前記備え付けレンズの輪郭を取得するレンズ輪郭取得ステップと、
前記備え付けレンズがリムに取り付けられた状態でレンズ面上にリムの内側の境界に沿ってマークを付すマーク付与ステップと、
前記マークが付されたレンズをリムから取り外し、取り外したレンズ面上の前記マークを基に前記備え付けレンズ面上でのリムの内側境界を取得するリム境界取得ステップと、
を有し、
前記レンズ輪郭取得ステップで取得された前記備え付けレンズの輪郭に基づいて前記度付きレンズの外形加工形状を取得し、前記リム境界取得ステップで取得されたレンズ面上でのリムの内側境界に基づいて前記度付きレンズの径方向の段付き加工位置を取得することを特徴とする眼鏡レンズ加工形状取得方法。
【請求項２】
請求項１の眼鏡レンズ加工形状取得方法において、
リムから取り外した前記備え付けレンズを撮影したレンズ像を得るレンズ像取得ステップを有し、前記リム境界取得ステップは、前記レンズ像を画像処理してレンズ面に付されたマークの外側の輪郭を取得するステップを含み、取得したマークの外側の輪郭に基づいてリムの内側境界を取得することを特徴とする眼鏡レンズ加工形状取得方法。
【請求項３】
請求項２の眼鏡レンズ加工形状取得方法において、前記レンズ像取得ステップは、リムから取り外した前記備え付けレンズの輪郭を得るための第１撮像条件でレンズを撮像して第１レンズ像を得るステップと、前記第１レンズ像に対してレンズの内側の輝度が高くなるように調整された第２撮像条件でレンズを撮像して第２レンズ像を得るステップと、を含み、前記レンズ輪郭取得ステップは、前記第１レンズ像に基づいてレンズの輪郭を抽出し、前記リム境界取得ステップは、前記第２レンズ像に基づいてレンズ面に付されたマークの外側の輪郭を取得することを特徴とする眼鏡レンズ加工形状取得方法。
【請求項４】
眼鏡フレームのリムに取り付けられている備え付けレンズに代えて、備え付けレンズよりコバが厚い屈折力を持つ度付きレンズをリムに取り付けるための加工形状を得る眼鏡レンズ加工形状取得装置であって、
リムに取り付けられた状態でレンズ面上にリムの内側の境界に沿ってマークが付された前記備え付けレンズであって、リムから取り外された前記備え付けレンズを撮像して得られたレンズ像に基づいてレンズ面に付された前記マークの外側の輪郭を取得し、取得した輪郭を基に前記備え付けレンズ面上でのリムの内側境界を取得するリム境界取得手段と、
リムから取り外された前記備え付けレンズを撮像して得られたレンズ像に基づいて前記備え付けレンズの輪郭を取得するレンズ輪郭取得手段と、
前記レンズ輪郭取得手段で取得された前記備え付けレンズの輪郭に基づいて前記度付きレンズの外形加工形状を取得し、前記リム境界取得手段で取得されたレンズ面上でのリムの内側境界に基づいて前記度付きレンズの径方向の段付き加工位置を取得する加工形状取得手段と、
を備えることを特徴とする眼鏡レンズ加工形状取得装置。
【手続補正２】
【補正対象書類名】明細書
【補正対象項目名】発明の名称
【補正方法】変更
【補正の内容】
【発明の名称】眼鏡レンズ加工形状取得方法及び眼鏡レンズ加工形状取得装置
【手続補正３】
【補正対象書類名】明細書
【補正対象項目名】０００１
【補正方法】変更
【補正の内容】
【０００１】
本発明は、眼鏡フレームのリムに取り付けられている備え付けレンズに代えて、屈折力を持つ度付きレンズをリムに取り付けるための眼鏡レンズ加工形状を取得する眼鏡レンズ加工形状取得方法及び眼鏡レンズ加工形状取得装置に関する。
【手続補正４】
【補正対象書類名】明細書
【補正対象項目名】０００５
【補正方法】変更
【補正の内容】
【０００５】
本発明は、上記従来技術の問題点に鑑み、眼鏡レンズの段付き加工形状を含む眼鏡レンズ加工形状を取得できる眼鏡レンズ加工形状取得方法及び眼鏡レンズ加工形状取得装置を提供することを技術課題とする。
【手続補正５】
【補正対象書類名】明細書
【補正対象項目名】０００６
【補正方法】変更
【補正の内容】
【０００６】
上記課題を解決するために、本発明は以下のような構成を備えることを特徴とする。
（１）  眼鏡フレームのリムに取り付けられている備え付けレンズに代えて、備え付けレンズよりコバが厚い屈折力を持つ度付きレンズをリムに取り付けるための眼鏡レンズ加工形状取得方法は、前記備え付けレンズの輪郭を取得するレンズ輪郭取得ステップと、
前記備え付けレンズがリムに取り付けられた状態でレンズ面上にリムの内側の境界に沿ってマークを付すマーク付与ステップと、前記マークが付されたレンズをリムから取り外し、取り外したレンズ面上の前記マークを基に前記備え付けレンズ面上でのリムの内側境界を取得するリム境界取得ステップと、を有し、前記レンズ輪郭取得ステップで取得された前記備え付けレンズの輪郭に基づいて前記度付きレンズの外形加工形状を取得し、前記リム境界取得ステップで取得されたレンズ面上でのリムの内側境界に基づいて前記度付きレンズの径方向の段付き加工位置を取得することを特徴とする。
（２）  （１）の眼鏡レンズ加工形状取得方法において、リムから取り外した前記備え付けレンズを撮影したレンズ像を得るレンズ像取得ステップを有し、前記リム境界取得ステップは、前記レンズ像を画像処理してレンズ面に付されたマークの外側の輪郭を取得するステップを含み、取得したマークの外側の輪郭に基づいてリムの内側境界を取得することを特徴とする。
（３）  （２）の眼鏡レンズ加工形状取得方法において、前記レンズ像取得ステップは、リムから取り外した前記備え付けレンズの輪郭を得るための第１撮像条件でレンズを撮像して第１レンズ像を得るステップと、前記第１レンズ像に対してレンズの内側の輝度が高くなるように調整された第２撮像条件でレンズを撮像して第２レンズ像を得るステップと、を含み、前記レンズ輪郭取得ステップは、前記第１レンズ像に基づいてレンズの輪郭を抽出し、前記リム境界取得ステップは、前記第２レンズ像に基づいてレンズ面に付されたマークの外側の輪郭を取得することを特徴とする。
（４）  眼鏡フレームのリムに取り付けられている備え付けレンズに代えて、備え付けレンズよりコバが厚い屈折力を持つ度付きレンズをリムに取り付けるための加工形状を得る眼鏡レンズ加工形状取得装置は、リムに取り付けられた状態でレンズ面上にリムの内側の境界に沿ってマークが付された前記備え付けレンズであって、リムから取り外された前記備え付けレンズを撮像して得られたレンズ像に基づいてレンズ面に付された前記マークの外側の輪郭を取得し、取得した輪郭を基に前記備え付けレンズ面上でのリムの内側境界を取得するリム境界取得手段と、リムから取り外された前記備え付けレンズを撮像して得られたレンズ像に基づいて前記備え付けレンズの輪郭を取得するレンズ輪郭取得手段と、前記レンズ輪郭取得手段で取得された前記備え付けレンズの輪郭に基づいて前記度付きレンズの外形加工形状を取得し、前記リム境界取得手段で取得されたレンズ面上でのリムの内側境界に基づいて前記度付きレンズの径方向の段付き加工位置を取得する加工形状取得手段と、を備えることを特徴とする。